(57)【要約】【課題】  特殊な構成部材や加工技術を必要とせず、省スペース化を図りながら安価かつ簡易な方法で一対の欄干パネル間の照射領域を照射させることができるマンコンベアを提供すること。【解決手段】  マンコンベア１０は、デッキ１３ａ，１３ｂの内部に設けられた照明源２０ａ，２０ｂと、このデッキ１３ａ，１３ｂの上面に設けられたレンズ２１ａ，２１ｂと、手摺案内体１５ａ，１５ｂの下面にそれぞれ取り付けられた反射鏡２２ａ，２２ｂとを備えている。レンズ２１ａ，２１ｂは、照明源２０ａ，２０ｂからの光をデッキ１３ａ，１３ｂの上方に照射するようになっている。反射鏡２２ａ，２２ｂは、照明源２０ａ，２０ｂからレンズ２１ａ，２１ｂを介して照射された光を一対の欄干パネル１４ａ，１４ｂ間の照射領域に反射させる。【選択図】  図１
2006176280.tif 000002
【特許請求の範囲】
【請求項１】
移動経路を形成する一対の対向するスカートガードと、
前記一対のスカートガード内の移動経路に設けられ、無端状に連結されて循環移動する複数の踏段と、
前記各スカートガードの上方に設置された一対のデッキと、
前記各デッキから上方に延びる一対の欄干パネルと、
前記各欄干パネルの上端に取り付けられた一対の手摺案内体と、
前記各手摺案内体上に設けられ、前記踏段の循環移動に対応して循環移動する一対の無端状の移動手摺と、
前記デッキの内部に設けられた照明源と、
前記デッキの上面に設けられ、前記照明源からの光を当該デッキの上方に照射するレンズと、
前記手摺案内体の近傍に取り付けられ、前記照明源から前記レンズを介して照射された光を前記一対の欄干パネル間の照射領域に反射させる反射鏡と、
を備えたことを特徴とするマンコンベア。
【請求項２】
前記反射鏡は、水平面に対してマンコンベアの中央側下方を向くよう傾斜していることを特徴とする請求項１記載のマンコンベア。
【発明の詳細な説明】
【技術分野】
【０００１】
本発明はマンコンベアに係り、とりわけ一対の欄干パネル間の照射領域を照射することができるマンコンベアに関する。
【背景技術】
【０００２】
動く歩道やエスカレータ等のマンコンベアは一般に、移動経路を形成する一対の対向するスカートガードと、この一対のスカートガード内の移動経路に設けられ、無端状に連結されて循環移動する複数の踏段と、スカートガードの上方に設置された一対のデッキと、これらのデッキから上方にそれぞれ延びる一対の欄干パネルとを備えている。
【０００３】
次に、図３によりこのような従来のマンコンベアの欄干パネルの構造を述べる。
前述のように、マンコンベアは一対の欄干パネル１４ａを有している。そして、図３に示すように、マンコンベアの各欄干パネル１４ａの上端には手摺案内体１５ｃが取り付けられており、各手摺案内体１５ｃ上に、踏段の循環移動に対応して循環移動する無端状の移動手摺１６ａが設けられている。図３に示すように、手摺案内体１５ｃの下面は通常は水平面となっている。
【０００４】
このようなマンコンベアの一対の欄干パネル間の照射領域を照射する照明装置としては、例えば特許文献１乃至３に開示されるものが知られている。
【０００５】
特許文献１には、各ガラスパネル（欄干パネル）の頂部と各手摺案内体との間に、複数の小形ランプを内部に有する角形チューブが挿入されることにより構成された照明装置が示されている。
また、特許文献２には、各ガラスパネル（欄干パネル）の上端に取り付けられ、下方に向かって凹となる凹面鏡と、デッキの内部に設けられ、ガラスパネルの内部を通過して凹面鏡に光を照射する照明源とを備えた照明装置が開示されている。
また、特許文献３には、欄干パネルの上端に取り付けられ、発光層を挟んだ電極間に電圧を印加し、電位差を利用して発光層を発光させる照明装置が開示されている。
【０００６】
【特許文献１】特開平５−９７３７０号公報
【特許文献２】特開平１０−１６７６４６号公報
【特許文献３】特開２００１−３２８７８８号公報
【発明の開示】
【発明が解決しようとする課題】
【０００７】
しかしながら、上述の特許文献１乃至３に示す照明装置により一対の欄干パネル間の照射領域を照射するマンコンベアにおいては、当該照明装置を設置する際に特殊な構成部材や加工技術が必要となる。
例えば特許文献２に示す照明装置を設置する際には、手摺案内体は、凹面鏡が挿入可能な孔が下面に穿孔されたものを用いなければならず、さらに、ガラスパネルの上端部と凹面鏡とを密着させる必要があるので、ガラスパネルの上端部を凹面鏡の凹面に沿った凸面に加工しなければならない。
このように、従来の照明装置では、マンコンベアに当該照明装置を設置する際に特殊な構成部材や加工技術が必要となるので、マンコンベアの設置費用が高価となり、また設置工事が複雑になるという問題がある。
【０００８】
また、上述の特許文献１や特許文献２に示す照明装置を用いる場合には、欄干パネルは光を通過させることができるガラスパネルから構成される必要があり、欄干パネルとしてガラスパネル以外の部材を用いることができず、マンコンベアの構成部材の選択幅を狭めてしまうという問題がある。
【０００９】
本発明は、このような点を考慮してなされたものであり、特殊な構成部材や加工技術を必要とせず、省スペース化を図りながら安価かつ簡易な方法で一対の欄干パネル間の照射領域を照射させることができるマンコンベアを提供することを目的とする。
【課題を解決するための手段】
【００１０】
本発明は、移動経路を形成する一対の対向するスカートガードと、前記一対のスカートガード内の移動経路に設けられ、無端状に連結されて循環移動する複数の踏段と、前記各スカートガードの上方に設置された一対のデッキと、前記各デッキから上方に延びる一対の欄干パネルと、前記各欄干パネルの上端に取り付けられた一対の手摺案内体と、前記各手摺案内体上に設けられ、前記踏段の循環移動に対応して循環移動する一対の無端状の移動手摺と、前記デッキの内部に設けられた照明源と、前記デッキの上面に設けられ、前記照明源からの光を当該デッキの上方に照射するレンズと、前記手摺案内体の近傍に取り付けられ、前記照明源から前記レンズを介して照射された光を前記一対の欄干パネル間の照射領域に反射させる反射鏡と、を備えたことを特徴とするマンコンベアである。
このようなマンコンベアによれば、一対の欄干パネル間の照射領域を照射するために用いられる照明源、レンズおよび反射鏡は汎用品を使用することができるので、特殊な構成部材や加工技術を必要とせず、安価かつ簡易な方法でマンコンベアの照射領域を照射させることができる。また、照明源をデッキの内部に設けているので、省スペース化を図ることができる。
【００１１】
また、本発明のマンコンベアにおいては、前記反射鏡は、水平面に対してマンコンベアの中央側下方を向くよう傾斜していることが好ましい。
このようなマンコンベアによれば、照明源からレンズを介して照射された光を確実に一対の欄干パネル間の照射領域に反射させることができる。
【発明の効果】
【００１２】
本発明のマンコンベアによれば、一対の欄干パネル間の照射領域を照射するために用いられる照明源、レンズおよび反射鏡は汎用品を使用することができるので、特殊な構成部材や加工技術を必要とせず、安価かつ簡易な方法でマンコンベアの照射領域を照射させることができる。また、照明源をデッキの内部に設けているので、省スペース化を図ることができる。
【発明を実施するための最良の形態】
【００１３】
以下、図１および図２を参照して本発明の実施の形態について説明する。図１は、本発明のマンコンベアの実施の形態を示す断面図であり、図２は、本実施の形態によるマンコンベア（エスカレータ）の全体構成を示す概略前面図である。
【００１４】
図１および図２に示すように、本発明によるマンコンベア１０は、移動経路を形成する一対の対向するスカートガード１１ａ，１１ｂと、この一対のスカートガード１１ａ，１１ｂ内の移動経路に設けられ、無端状に連結されて循環移動する複数の踏段１２と、それぞれのスカートガード１１ａ，１１ｂの上方に設置された一対のデッキ１３ａ，１３ｂと、これらのデッキ１３ａ，１３ｂから上方にそれぞれ延びる一対の欄干パネル１４ａ，１４ｂとを備えている。また、欄干パネル１４ａ，１４ｂの上端にはそれぞれ手摺案内体１５ａ，１５ｂが取り付けられており、これらの手摺案内体１５ａ，１５ｂ上に、踏段１２の循環移動に対応して循環移動する一対の無端状の移動手摺１６ａ，１６ｂが設けられている。
【００１５】
図１に示すように、一対のデッキ１３ａ，１３ｂは、欄干パネル１４ａ，１４ｂよりも内側に設置され、各々一端がスカートガード１１ａ，１１ｂに取り付けられるとともに他端が欄干パネル１４ａ，１４ｂに取り付けられた内デッキ１３ｃ，１３ｄと、欄干パネル１４ａ，１４ｂよりも外側に設置された外デッキ１３ｅ，１３ｆとから構成されている。
【００１６】
欄干パネル１４ａ，１４ｂは例えばガラスパネルからなり、それぞれデッキ１３ａ，１３ｂの内デッキ１３ｃ，１３ｄと外デッキ１３ｅ，１３ｆとの間から鉛直方向上方に延びている。また、欄干パネル１４ａ，１４ｂの上端にはそれぞれねじ受け部材１７ａ，１７ｂが取り付けられている。
【００１７】
手摺案内体１５ａ，１５ｂは、ねじ１８ａ，１８ｂにより欄干パネル１４ａ，１４ｂの上端に設けられたねじ受け部材１７ａ，１７ｂにそれぞれ取り付けられている。また、図１に示すように、手摺案内体１５ａ，１５ｂの下面は、各々水平面に対してマンコンベア１０の中央側下方を向くよう傾斜している。
【００１８】
本実施の形態においては、図１に示すように、内デッキ１３ｃ，１３ｄの内部に照明源２０ａ，２０ｂが設けられ、内デッキ１３ｃ，１３ｄの上面には、照明源２０，２０からの光を当該内デッキ１３ｃ，１３ｄの上方に照射するレンズ２１ａ，２１ｂが設置されている。さらに、手摺案内体１５ａ，１５ｂの傾斜した下面にそれぞれ反射鏡２２ａ，２２ｂが取り付けられている。この反射鏡２２ａ，２２ｂは、照明源２０ａ，２０ｂからレンズ２１ａ，２１ｂを介して照射された光を一対の欄干パネル１４ａ，１４ｂ間の照射領域に反射させるものである。
図１において、照明源２０ａ，２０ｂから照射された光の経路を一点鎖線で示す。
【００１９】
照明源２０ａ，２０ｂは、蛍光灯等からなる照明灯２０ｃ，２０ｄと、この照明灯２０ｃ，２０ｄの下半分を覆うよう設けられた凹面鏡２０ｅ，２０ｆとをそれぞれ有しており、各照明灯２０ｃ，２０ｄから発せられた光の一部は直接上方のレンズ２１ａ，２１ｂに照射されるとともに、当該照明灯２０ｃ，２０ｄから発せられた光の他の一部は下方にある凹面鏡２０ｅ，２０ｆで一度反射してから上方のレンズ２１ａ，２１ｂに照射されるようになっている。このようにして、照明源２０ａ，２０ｂから発せられた光の大部分がレンズ２１ａ，２１ｂに照射される。なお、照明灯２０ｃ，２０ｄおよび凹面鏡２０ｅ，２０ｆは汎用品を使用することができる。
【００２０】
レンズ２１ａ，２１ｂは図１に示すように例えば汎用品の両面凸レンズからなり、照明源２０ａ，２０ｂから照射された光を、手摺案内体１５ａ，１５ｂの下面近傍を焦点として収束させるようになっている。
【００２１】
反射鏡２２ａ，２２ｂは図１に示すように例えば汎用品の凸面鏡からなり、前述の手摺案内体１５ａ，１５ｂの下面に取り付けられていることにより水平面に対してマンコンベア１０の中央側下方を向くよう傾斜している。反射鏡２２ａ，２２ｂは、照射源２０ａ，２０ｂからレンズ２１ａ，２１ｂを介してそれぞれ照射された光を一対の欄干パネル１４ａ，１４ｂ間の照射領域に反射させるようになっている。
ここで、反射鏡２２ａ，２２ｂが凸面鏡からなることにより、照明源２０ａ，２０ｂから照射されレンズ２１ａ，２１ｂにより収束された光を図１の鎖線で示すように照射領域内で分散させることができ、この照射領域を幅広く照射することができる。
【００２２】
次にこのような構成からなる本実施の形態の作用について説明する。
図１に示すように、照明源２０ａ，２０ｂの各照明灯２０ｃ，２０ｄから発せられた光の一部は直接上方のレンズ２１ａ，２１ｂに照射される。一方、当該照明灯２０ｃ，２０ｄから発せられた光の他の一部は下方に設けられた凹面鏡２０ｅ，２０ｆで一度反射してから上方のレンズ２１ａ，２１ｂに照射され、このようにして照明源２０ａ，２０ｂから発せられた光の大部分がレンズ２１ａ，２１ｂに照射される。
【００２３】
次に、レンズ２１ａ，２１ｂにより、図１の鎖線で示すように、照明源２０ａ，２０ｂから照射された光が手摺案内体１５ａ，１５ｂの下面近傍を焦点として収束される。
次に、照明源２０ａ，２０ｂから照射されレンズ２１ａ，２１ｂにより収束された光が、反射鏡２２ａ，２２ｂにより反射され、一対の欄干パネル１４ａ，１４ｂ間の照射領域に分散される。
【００２４】
以上のように本実施の形態のマンコンベア１０によれば、一対の欄干パネル１４ａ，１４ｂ間の照射領域を照射するために用いられる照明源２０ａ，２０ｂ、レンズ２１ａ，２１ｂおよび反射鏡２２ａ，２２ｂは汎用品を用いることができるので、特殊な構成部材や加工技術を必要とせず、安価かつ簡易な方法でマンコンベア１０の照射領域を照射させることができる。また、照明源２０ａ，２０ｂを内デッキ１３ｃ，１３ｄの内部に設けているので、省スペース化を図ることができる。
【００２５】
また、反射鏡２２ａ，２２ｂは、水平面に対してマンコンベア１０の中央側下方を向くよう傾斜しているので、照明源２０ａ，２０ｂからレンズ２１ａ，２１ｂを介して照射された光を確実に一対の欄干パネル１４ａ，１４ｂ間の照射領域に反射させることができる。
【００２６】
なお、上記の実施の形態において、各反射鏡２２ａ，２２ｂが各手摺案内体１５ａ，１５ｂの下面に取り付けられている例について説明したが、他の変形例においては、レンズ２１ａ，２１ｂを介して照射された光を一対の欄干パネル１４ａ，１４ｂ間の照射領域に反射させることができるのであれば反射鏡２２ａ，２２ｂを必ずしも手摺案内体１５ａ，１５ｂの下面に取り付ける必要はなく、例えば一対の欄干パネル１４ａ，１４ｂの上端近傍に反射鏡２２ａ，２２ｂをそれぞれ直接取り付けてもよい。また、さらに他の変形例においては、マンコンベア１０として図２に示すエスカレータの他に例えば動く歩道等に対して用いてもよい。
【図面の簡単な説明】
【００２７】
【図１】本発明のマンコンベアの実施の形態を示す断面図である。
【図２】本実施の形態によるマンコンベア（エスカレータ）の全体構成を示す前面図である。
【図３】従来のマンコンベアの欄干パネルを示す断面図である。
【符号の説明】
【００２８】
１０        マンコンベア
１１ａ，１１ｂ  スカートガード
１２        踏段
１３ａ，１３ｂ  デッキ
１３ｃ，１３ｄ  内デッキ
１３ｅ，１３ｆ  外デッキ
１４ａ，１４ｂ  欄干パネル
１５ａ，１５ｂ  手摺案内体
１５ｃ      従来の手摺案内体
１６ａ，１６ｂ  移動手摺
１７ａ，１７ｂ  ねじ受け部材
１８ａ，１８ｂ  ねじ
２０ａ，２０ｂ  照明源
２０ｃ，２０ｄ  照明灯
２０ｅ，２０ｆ  凹面鏡
２１ａ，２１ｂ  レンズ
２２ａ，２２ｂ  反射鏡
【図１】
2006176280.tif 000003
【図２】
2006176280.tif 000004
【図３】
2006176280.tif 000005